(57)【要約】      （修正有）【課題】簡単な構造で微少な対象物を拡大して携帯情報端末の画面に表示させる観察用アタッチメントを提供する。【解決手段】表示画面と対物レンズとが互いに表裏に設けられたスマートフォンに取り付けられる観察用アタッチメント１０において、ベース２０と、ベース２０の上方に設けられ、対物レンズを下方にしてスマートフォンを置くための天板３０と、ベース２０と天板３０との間に設けられ、天板３０を上下動させるための上下動機構４０と、天板３０の一部であって、上下動機構４０を基準として水平方向に突出して設けられ、対物レンズに対応する位置に付加レンズを配置する付加レンズ部５０と、ベース２０に隣接配置され、内部にＬＥＤ素子１１０を収容し、透過窓１０２を有する光源ユニット１００とを備えている。【選択図】図１
0003194285.tif 000002
【実用新案登録請求の範囲】
【請求項１】
表示画面と対物レンズとが互いに表裏に設けられたスマートフォンに取り付けられる観察用アタッチメントにおいて、
ベースと、
このベースの上方に設けられ、前記対物レンズを下方にしてスマートフォンを置くための天板と、
前記ベースと前記天板との間に設けられ、前記天板を上下動させるための上下動機構と、
前記天板の一部であって、前記上下動機構を基準として水平方向に突出して設けられ、前記対物レンズに対応する位置に付加レンズを配置する付加レンズ部と、
前記ベースに隣接配置され、内部に光源を収容し、透過窓を有する光源ユニットとを備えていることを特徴とする観察用アタッチメント。
【請求項２】
前記光源ユニットは、前記付加レンズに対向して配置されると共に、前記透過窓は観察対象物を支持することを特徴とする請求項１に記載の観察用アタッチメント。
【請求項３】
前記付加レンズは、観察対象物に対向して配置されると共に、前記光源ユニットは、その透過窓を前記観察対象物に向けて配置されることを特徴とする請求項１に記載の観察用アタッチメント。
【請求項４】
前記付加レンズ部は、異なる倍率の付加レンズを取り替え可能に形成されていることを特徴とする請求項１に記載の観察用アタッチメント。
【請求項５】
前記付加レンズ部は、前記付加レンズの位置を変更して取り付け可能に形成されていることを特徴とする請求項１に記載の観察用アタッチメント。
【考案の詳細な説明】
【技術分野】
【０００１】
本考案は、スマートフォン等の携帯情報端末のカメラ機能を利用して微少な対象物を観察するための観察用アタッチメントに関する。
【背景技術】
【０００２】
近年、スマートフォンと組み合わせて微少な対象物を観察するための観察用アタッチメントが開発されている。例えば、顕微鏡の接眼レンズ側に取り付けて、拡大画像をスマートフォンの表示画面に表示するアタッチメントが知られている。
【考案の概要】
【考案が解決しようとする課題】
【０００３】
上述した観察用アタッチメントでは、次のような問題があった。すなわち、対象となる携帯情報端末ごとに接眼レンズを用意しなければならず、様々な携帯情報端末に即対応できるものではなかった。また、携帯情報端末を手で保持しながら対象物を観察しなければならず、安定的な画像の観察ができなかった。このように、簡易に微少な対象物を観察するものではなかった。
【０００４】
そこで本考案は、簡単な構造で微少な対象物を拡大して携帯情報端末の画面に表示させることができる観察用アタッチメントを提供することを目的としている。
【課題を解決するための手段】
【０００５】
前記課題を解決し目的を達成するために、本考案の観察用アタッチメントは次のように構成されている。
【０００６】
表示画面と対物レンズとが互いに表裏に設けられたスマートフォンに取り付けられる観察用アタッチメントにおいて、ベースと、このベースの上方に設けられ、前記対物レンズを下方にしてスマートフォンを置くための天板と、前記ベースと前記天板との間に設けられ、前記天板を上下動させるための上下動機構と、前記天板の一部であって、前記上下動機構を基準として水平方向に突出して設けられ、前記対物レンズに対応する位置に付加レンズを配置する付加レンズ部と、前記ベースに隣接配置され、内部に光源を収容し、透過窓を有する光源ユニットとを備えていることを特徴とする。
【考案の効果】
【０００７】
本考案によれば、簡単な構造で微少な対象物を拡大してスマートフォンの画面に表示させることが可能となる。
【図面の簡単な説明】
【０００８】
【図１】本考案の一実施の形態に係る観察用アタッチメントを示す斜視図。
【図２】同観察用アタッチメントの高さ調整方法を示す斜視図。
【図３】同観察用アタッチメントに組み込まれた支持台を下方から示す斜視図。
【図４】同観察用アタッチメントに組み込まれた上下動機構の要部を示す斜視図。
【図５】同観察用アタッチメントにスマートフォンをセットする状態を示す斜視図。
【図６】同観察用アタッチメントのレンズプレートを示す斜視図。
【図７】同観察用アタッチメントのレンズプレートの向きを変えた状態を示す斜視図。
【図８】同観察用アタッチメントで光不透過または光源ユニット上に載置困難な厚みのある対象物を観察する場合の使用法を示す斜視図。
【考案を実施するための形態】
【０００９】
図１は本考案の一実施の形態に係る観察用アタッチメント１０を示す斜視図、図２は観察用アタッチメント１０の高さ調整方法を示す斜視図、図３は観察用アタッチメント１０に組み込まれた支持台４１を下方から示す斜視図、図４は観察用アタッチメント１０に組み込まれた上下動機構４０の要部を示す斜視図で、天板３０支持台側からの透視図、図５は観察用アタッチメント１０にスマートフォンＳをセットする状態を示す斜視図、図６は観察用アタッチメント１０のレンズプレート５２を示す斜視図、図７は観察用アタッチメント１０のレンズプレート５２の向きを変えた状態を示す斜視図、図８は観察用アタッチメント１０で光不透過の対象物Ｑを観察する場合の使用法を示す斜視図である。また、説明中Ｐは光透過可能な試料、Ｑは光不透過の試料を示している。
【００１０】
なお、図５中Ｓはスマートフォン（携帯情報端末）を示している。スマートフォンＳは、平板状の筐体Ｓａと、この筐体Ｓａの表面に設けられた液晶表示部Ｓｂと、裏面に設けられた対物レンズＳｃとを備えている。ここで、スマートフォンＳの短辺側を幅方向Ｗとする。
【００１１】
図１に示すように、観察用アタッチメント１０は、机上等に置くための上部が開口した箱状のベース２０と、このベース２０の上方に設けられ、対物レンズＳｃを下方にしてスマートフォンＳを置くための平板状の天板３０と、ベース２０と天板３０との間に設けられ、天板３０を上下動させるための上下動機構４０と、ベース２０に隣接して分離配置される光源ユニット１００とを備えている。
【００１２】
ベース２０の側面には、後述するダイヤル部４３を露出させるための切欠部２０ａが設けられている。
【００１３】
天板３０には、上下動機構４０を基準として水平方向に突出して設けられ、対物レンズＳｃに対応する位置に付加レンズ５３を配置する付加レンズ部５０とが一体的に設けられている。天板３０にはスマートフォンＳの滑り止めとなるシリコン材製の滑り止めシート３１が取り付けられている。
【００１４】
図２に示すように、上下動機構４０は、ベース２０の内周部にその外周部が嵌合するように形成され、下部が開口した箱状の支持台４１と、下端がベース２０に取り付けられ、上端が支持台４１に取り付けられた歯車機構４２と、歯車機構４２を動作させるためのダイヤル部４３とを備えている。ダイヤル部４３は、ベース２０及び支持台４１から外部に露出している。
【００１５】
支持台４１には、図３に示すように、ダイヤル部４３を通過させるための切欠部４１ａが設けられている。支持台４１の下面には、４本の円筒部４４が設けられている。円筒部４４の内面には雌ネジが形成されており、後述する軸体４２ｃが噛合している。
【００１６】
図４に示すように、歯車機構４２は、ベース２０に回転自在に支持された鉛直方向の回転軸を有する大ギア４２ａと、この大ギア４２ａに噛合する鉛直方向の回転軸を有する４つの小ギア４２ｂと、これら小ギア４２ｂの回転軸であって雄ネジが形成された軸体４２ｃとを備えている。雄ネジ４２ｃの下端はベース２０の底面に対し、回転自由で、かつ、上下方向への移動が規制された状態で支持されている。
【００１７】
大ギア４２ａは、ダイヤル部４３と同軸に形成されている。ダイヤル部４３を回転させることにより、大ギア４２ａが回転し、それに噛合した小ギア４２ｂが回転する。さらに、軸体４２ｃが回転することで、円筒部４４を上下動させ、支持台４１を上下動させることとなる。
【００１８】
付加レンズ部５０は、僅かに窪んだ凹部５１が設けられており、平板状のレンズプレート５２が着脱自在に載置されている。レンズプレート５２には、付加レンズ５３が取り付けられている。なお、図６に示すように、レンズプレート５２は、付加レンズ５３の倍率に応じて複数種類のものが用意されている。また、レンズプレート５２の向きを逆にして載置することができる。この場合、図７に示すように、付加レンズ５３をスマートフォンＳの幅方向に対し、中央に配置することができる。
【００１９】
光源ユニット１００は、図１に示すように、直方体状に形成されたユニット本体１０１と、このユニット本体１０１の一面には透過窓１０２が形成されている。ユニット本体１０１内部には、ＬＥＤ素子１１０と、このＬＥＤ素子１１０に電力を供給する電池（電源）１２０と、ＬＥＤ素子１１０と電池１２０との接続をＯＮ／ＯＦＦする電源スイッチ１３０とを備えている。透過窓１０２には、光透過する試料Ｐが載置可能である。
【００２０】
このように構成された観察用アタッチメント１０は、次のようにして使用する。第一に、光透過する試料Ｐを観察する場合について説明する。試料Ｐに対して適切な倍率の付加レンズ５３のレンズプレート５２を選択し、凹部５１に嵌め込む。この時、スマートフォンＳの対物レンズＳｃの位置に合わせて付加レンズ５３の位置を決定する。
【００２１】
次に、スマートフォンＳを、対物レンズＳｃが付加レンズ５３に対向する位置となるように、液晶表示部Ｓｂを上向きにしてスマートフォンＳの筐体Ｓａを載置する。
【００２２】
次に、光源ユニット１００を付加レンズ部５０に対向する位置に移動し、電源スイッチ１３０をＯＮにする。そして、透過窓１０２上に試料Ｐを載置し、付加レンズ５３の直下に位置するように移動する。スマートフォンＳの撮影アプリケーションを起動し、付加レンズ５３を通して、試料Ｐを対物レンズＳｃから撮像する。なお、焦点は、ダイヤル４３を回転させることで支持台４１を上下動させて合わせる。合焦すると液晶表示部Ｓｂには試料Ｐが拡大されて表示される。
【００２３】
また、スマートフォンの撮影アプリケーション自体が有する画像拡張機能を利用することにより、取り換えレンズの有する倍率に対し、更に高倍率の画像が、その液晶表示部Ｓｂに表示が可能となる。この実施例では、取り換えレンズの倍率を、２倍・５倍・２０倍の３種類を要しており、例えばｉＰｈｏｎｅ５（登録商標）の撮影アプリケーションを利用した場合、その液晶表示部Ｓｂをピッチアウト等操作することにより、それぞれ最大で１０倍・２５倍・１００倍までの拡大が可能となる。
【００２４】
なお、拡大率を変更する場合には、レンズプレート５２を交換する。また、対物レンズＳｃが幅方向Ｗの中央に位置するスマートフォンＳの場合には、レンズプレート５２の向きを変えて、付加レンズ５３が幅方向Ｗの中央に位置するように嵌め込めばよい。
【００２５】
第二に、光透過しないまたは光源ユニット上に載置困難な厚みのある試料Ｑを観察する場合について説明する。なお、上述した試料Ｐと異なる部分のみ説明する。すなわち、図８に示すように、光源ユニット１００を付加レンズ部５０の直下から離間させ、透過窓１０２をベース２０へ向けて横向きに配置し、電源スイッチ１３０をＯＮにする。試料Ｑは、付加レンズ部５０に対向する位置に移動する。
【００２６】
そして、スマートフォンＳの撮影アプリケーションを起動し、付加レンズ５３を通して、試料Ｑを対物レンズＳｃから撮像する。なお、焦点は、ダイヤル部４３を回転させることで支持台４１を上下動させて合わせる。合焦すると液晶表示部Ｓｂには試料Ｑが拡大されて表示される。
【００２７】
このようにして、観察用アタッチメント１０を用いることで、顕微鏡等の高価な装置を用いることなく、光透過する試料Ｐ及び光透過しない試料Ｑを拡大して観察することが可能となる。
【００２８】
本考案によれば、簡単な構造で微少な対象物を拡大して携帯情報端末の画面に表示させることが可能となる。
【００２９】
なお、本考案は前記実施の形態に限定されるものではなく、この他、本考案の要旨を逸脱しない範囲で種々変形実施可能であるのは勿論である。
【符号の説明】
【００３０】
１０…観察用アタッチメント、２０…ベース、３０…天板、４０…上下動機構、５０…付加レンズ部、５２…レンズプレート、１００…光源ユニット、Ｓ…スマートフォン（携帯情報端末）、Ｐ，Ｑ…対象物。
【図１】
0003194285.tif 000003
【図２】
0003194285.tif 000004
【図３】
0003194285.tif 000005
【図４】
0003194285.tif 000006
【図５】
0003194285.tif 000007
【図６】
0003194285.tif 000008
【図７】
0003194285.tif 000009
【図８】
0003194285.tif 000010